(57)【要約】【課題】異なる仕様の床材が施されたプライベートな個室空間における印象の違いを、略同時に比較しながら効果的に体感させることのできる床材仕様体感用設備を提供する。【解決手段】本発明の床材仕様体感用設備１０は、仕切り壁５１を挟んで隣接配置される、床材仕様を除く内装仕様が略同一となった少なくとも２室の床材仕様体感室２２，２３と、これらの床材仕様体感室２２，２３への出入り口５２，５３が設けられた壁面５４に沿って配置される廊下部２１とを含んで構成されている。各床材仕様体感室２２，２３には、異なる仕様の床材５５，５６が床面に各々施されており、各床材仕様体感室２２，２３には、複数種類の照明器具２２ａ，２２ｂ，２２ｃ，２２ｄ，２３ａ，２３ｂ，２３ｃが、その照度を調整可能に各々設けられており、２階廊下２１には、複数種類の照明器具２１ａ，２１ｂ，２１ｃが、その照度を調整可能に設けられている。【選択図】図３
2011085706.tif 000002
【特許請求の範囲】
【請求項１】
仕切り壁を挟んで隣接配置される、床材仕様を除く内装仕様が略同一となった少なくとも２室の床材仕様体感室と、これらの床材仕様体感室への出入り口が設けられた壁面に沿って配置される廊下部とを含んで構成されており、
前記各床材仕様体感室には、異なる仕様の床材が床面に各々施されており、前記各床材仕様体感室には、複数種類の照明器具が、その照度を調整可能に各々設けられており、前記廊下部には、複数種類の照明器具が、その照度を調整可能に設けられている床材仕様体感用設備。
【請求項２】
前記各床材仕様体感室には、色調の異なる仕様の床材が床面に各々施されている請求項１記載の床材仕様体感用設備。
【請求項３】
前記各床材仕様体感室及び前記廊下部には、照度を検出する照度検出センサが各々設けられている請求項１又は２記載の床材仕様体感用設備。
【請求項４】
前記各照明器具の照度を調整する照度操作部と、前記照度検出センサによる照度の検出結果を表示する表示部とを備える請求項３記載の床材仕様体感用設備。
【請求項５】
前記表示部は、表示された照度を得るための電力使用量を表示する機能を有する請求項４記載の光環境体感用設備。
【請求項６】
前記照度操作部及び／又は前記表示部は、携帯可能なポータブルタイプのリモコン装置に設けらている請求項４又は５記載の床材仕様体感用設備。
【発明の詳細な説明】
【技術分野】
【０００１】
本発明は、床材仕様体感用設備に関し、特に、床材の色感、素材感、光沢感等の相違による個室空間の印象の違いを体感可能な床材仕様体感用設備に関する。
【背景技術】
【０００２】
近年の住宅では、居住者の人数に応じてプライベートな空間である個室が設けられるようになっており、これらの個室には、共用スペースとしての廊下を介して各々出入り可能となっているのが一般的である。また、これらの個室の内装やインテイリアを計画したり、設計する際には、例えばユーザが、住宅メーカーや内装材メーカーやインテイリアメーカーが提供するカタログ等から、好ましくは専門家のアドバイスを受けながら内装材等を選択していたが、カタログ等を見ただけでは、選択した内装材等が実際に個室に設けられた際に体感される個室空間の印象や、醸し出される雰囲気等を正確に感じ取ることは困難である。
【０００３】
また、モデルハウスやモデルルーム等においては、内装材等が取り付けられた個室の状況を実際に体感することも可能であるが、異なる仕様の内装材等が取り付けられた際の個室空間の印象や雰囲気等の違いを、比較しながら体感させるようにする設備を備えていないのが現状である。
【０００４】
このようなことから、異なる仕様の内装材等が取り付けられた際の居室空間の印象や雰囲気等の違いを、比較しながら体感できるようにした内装材比較設備も開発されている（例えば、特許文献１参照）。特許文献１の内装材比較設備では、中央部分の体験空間の周囲にインテイリアが異なる複数の模擬空間を相隣接して配設すると共に、これらの模擬空間のそれぞれは、これらに取り付けられた壁パネル、幅木、床材等の内装材の外側に配置可能な複数の比較内装材を備えており、内装材と複数の比較内装材とによる模擬空間内のコーディネーションを、体験空間から観察して比較できるようになっている。
【先行技術文献】
【特許文献】
【０００５】
【特許文献１】特開２００１−２２２６９号公報
【発明の概要】
【発明が解決しようとする課題】
【０００６】
一方、プライベートな空間である個室は、４方が壁で囲まれた閉鎖空間となっており、周囲の側壁面や天井面に施された内装材の仕様が同一か、或いは略同一であっても、異なる仕様の床材が床面に施された場合には、床材の色感、素材感、光沢感等の相違によって、室内の照明との関係で違った印象の個室空間を形成することになる。
【０００７】
しかしながら、特許文献１の内装材比較設備では、各模擬空間は、中央部分の体験空間に向けて開放された開放空間となっており、プライベートな閉鎖空間である個室空間での印象の違いを、実際に近い雰囲気下で効果的に体感させることは困難である。また、特許文献１の内装材比較設備では、異なる仕様の内装材による模擬空間における印象の違いを体験空間から観察して比較するには、各々の模擬空間において内装材の外側に比較内装材を付け替える作業を必要とし、付け替え作業に手間と時間がかかることから、これらの印象の違いを略同時に比較しながら効果的に体感させることは困難である。
【０００８】
本発明は、異なる仕様の床材が施されたプライベートな個室空間における印象の違いを、略同時に比較しながら効果的に体感させることのできる床材仕様体感用設備を提供することを目的とする。
【課題を解決するための手段】
【０００９】
本発明は、仕切り壁を挟んで隣接配置される、床材仕様を除く内装仕様が略同一となった少なくとも２室の床材仕様体感室と、これらの床材仕様体感室への出入り口が設けられた壁面に沿って配置される廊下部とを含んで構成されており、前記各床材仕様体感室には、異なる仕様の床材が床面に各々施されており、前記各床材仕様体感室には、複数種類の照明器具が、その照度を調整可能に各々設けられており、前記廊下部には、複数種類の照明器具が、その照度を調整可能に設けられている床材仕様体感用設備を提供することにより、上記目的を達成したものである。
【００１０】
そして、本発明の床材仕様体感用設備は、前記各床材仕様体感室には、色調の異なる仕様の床材が床面に各々施されていることが好ましい。
【００１１】
また、本発明の床材仕様体感用設備は、前記各床材仕様体感室及び前記廊下部には、照度を検出する照度検出センサが各々設けられていることが好ましい。
【００１２】
さらに、本発明の床材仕様体感用設備は、前記各照明器具の照度を調整する照度操作部と、前記照度検出センサによる照度の検出結果を表示する表示部とを備えていることが好ましい。
【００１３】
さらにまた、本発明の床材仕様体感用設備は、前記表示部が、表示された照度を得るための電力使用量を表示する機能を有していることが好ましい。
【００１４】
また、本発明の床材仕様体感用設備は、前記照度操作部及び／又は前記表示部は、携帯可能なポータブルタイプのリモコン装置に設けらていることが好ましい。
【発明の効果】
【００１５】
本発明の床材仕様体感用設備によれば、異なる仕様の床材が施されたプライベートな個室空間における印象の違いを、略同時に比較しながら効果的に体感させることができる。
【図面の簡単な説明】
【００１６】
【図１】本発明の好ましい一実施形態に係る床材仕様体感用設備が設けられた模擬住宅の２階部分の平面図である。
【図２】本発明の好ましい一実施形態に係る床材仕様体感用設備が設けられた模擬住宅の１階部分の平面図である。
【図３】本発明の好ましい一実施形態に係る床材仕様体感用設備の平面図である。
【発明を実施するための形態】
【００１７】
本発明の好ましい一実施形態に係る床材仕様体感用設備１０は、図１及び図２に示すように、例えば住宅展示場に設置された、住宅建築物における様々な光環境を体感させるための２階建ての光環境体感用模擬住宅３０の一部として、当該光環境体感用模擬住宅３０の２階部分に設けられたものである。すなわち、光環境体感用模擬住宅３０は、例えば住宅建築物の購入を検討する購入予定者（ユーザ）が、好ましくは営業者に案内されて体感者として内部に立ち入ることにより、種々の光環境の下で、照明器具による照明の状態を実際に近いかたちで効果的に体感できるようにするための模擬住宅として設けられている。床材仕様体感用設備１０は、このような光環境体感用模擬住宅３０の内部において、床材の仕様が異なることによる、プライベートな個室である床材仕様体感室２２，２３内の個室空間における、室内の照明と関係した印象の違いを、比較しながらユーザに効果的に体感させることができる機能を備える設備として設けられている。
【００１８】
そして、本実施形態の床材仕様体感用設備１０は、仕切り壁５１を挟んで隣接配置される、床材仕様を除く内装仕様が略同一となった少なくとも２室（本実施形態では２室）の床材仕様体感室２２，２３と、これらの床材仕様体感室２２，２３への出入り口５２，５３が設けられた壁面５４に沿って配置される廊下部としての２階廊下２１とを含んで構成されており、各床材仕様体感室２２，２３には、異なる仕様の床材５５，５６が床面に各々施されており、各床材仕様体感室２２，２３には、複数種類の照明器具２２ａ，２２ｂ，２２ｃ，２２ｄ，２３ａ，２３ｂ，２３ｃが、その照度を調整可能に各々設けられており、２階廊下２１には、複数種類の照明器具２１ａ，２１ｂ，２１ｃが、その照度を調整可能に設けられている。
【００１９】
本実施形態では、床材仕様体感用設備１０は、２階建ての光環境体感用模擬住宅３０の一部としてこれの２階部分に設けられている。ここで、光環境体感用模擬住宅３０の1階部分には、図２に示すように、建物の北側に面した中央部分に玄関ポーチ２４が設けられており、この玄関ポーチ２４の南側に玄関１１が設けられている。玄関１１の南側には、建物の南側に面して玄関ホール１２が設けられており、玄関ポーチ２４、玄関１１、及び玄関ホール１２の東側に隣接して、リビング１３が玄関ホール１２から出入り可能に設けられている。リビング１３の東側の部分は上部吹抜け部１９となっている。また玄関ポーチ２４、玄関１１、及び玄関ホール１２の西側に隣接して、２階への階段１４が玄関ホール１２から出入り可能に設けられている。
【００２０】
階段１４を介して1階部分から昇降する光環境体感用模擬住宅３０の２階部分には、図１に示すように、階段１４の東側に隣接して、２階ホール２０が階段１４から出入り可能に設けられている。２階ホール２０の東側には、南側に面した部分に東側の端部まで致る２階廊下２１が設けられている。２階廊下２１の北側には、洋室となった２部屋の床材仕様体感室２２，２３が２階ホール２０の東側に隣接して２階廊下２１から出入り可能な個室として設けられている。また東側の床材仕様体感室２３の東側の部分は、１階のリビング１３の上部吹抜け部１９となっている。ここで、２部屋の床材仕様体感室２２，２３と、これらの床材仕様体感室２２，２３に面した部分の２階廊下（廊下部）２１とが、本実施形態の床材仕様体感用設備１０を構成している。
【００２１】
また、本実施形態では、光環境体感用模擬住宅３０の１階部分には、図２に示すように、当該１階部分の西側に配置されて、光体感コーナー４０が併設されている。この光体感コーナー４０においては、例えば床の素材による写り込みの差、各メーカーの色々な種類のＬＥＤダウンライトを用いた光の差、色々な種類のスポットライトを用いた光源による壁・照射物（絵画等）への効果の違い、スライドレールを使用した距離の相違による光の差、壁の素材による光の差等を体感できるようになっている。
【００２２】
そして、本実施形態によれば、光環境体感用模擬住宅３０の各部屋や各部位には、図１及び図２に示すように、複数種類の照明器具が、その照度を調整可能に設けられている。
【００２３】
すなわち、例えば玄関ポーチ２４には、ポーチ照明として、ＬＥＤアウトドアライト２４ａが設けられており、これによって例えばＬＥＤの活用を体感できるようになっている。
【００２４】
例えば玄関１１及び玄関ホール１２には、壁付け灯１１ａとしてフラット蛍光灯が設けられており、足元間接光１１ｂとして、シームレスランプが手前及び奥に設けられている。また天井部にシーリングライト１２ａが設けられており、南側の壁面にＬＥＤニッチライト１２ｂが取り付けられている。これらによって、例えば空間の中心の把握、足元間接光１１ｂの取付位置による写り込みの差、ダウンライト以外の照明計画、ＬＥＤの活用等を体感できるようになっている。
【００２５】
例えばリビング１３には、ＴＶ後ろの照明として、調光機能付きのシームレスラインコーニス照明１３ａや２灯のダウンライト１３ｂが取り付けられている。これらによって、例えば動線を考慮したコーニス照明１３ａの納まり、コーニス照明１３ａの注意点、コーニス照明１３ａとダウンライト１３ｂとのイメージの差、ダウンライト１３ｂのエッジラインと距離等を体感できるようになっている。
【００２６】
また、リビング１３には、ダウンライトとして、径１００ｍｍのダイクロイックハロゲン１３ｃ、径１００ｍｍのＬＥＤ１３ｄ、径１００ｍｍの蛍光灯１３ｅ、径１００ｍｍのミニクリプトン１３ｆ、径１００ｍｍのピンスポット１３ｇが各々２灯づつ設けられている。これらによって、例えば同径、同ピッチでの光源種類を体験（明るさの感覚、効果の違い）できると共に、ダウンライトの集中と均等のイメージを体感できるようになっている。また例えば蛍光灯ダウンライト１３ｅとＬＥＤダウンライト１３ｄとの均等配灯や、ＬＥＤダウンライト１３ｄだけの空間を体感できるようになっている。そして、シーリングライトとして蛍光灯シーリングライト１３ｈが設けられており、これらによって、例えばシーリングライト及び／又はダウンライトによる照明計画の見直しを体感できるようになっている。
【００２７】
さらに、リビング１３の上部吹抜け部１９と隣接する部分には、ダウンライトとして、径１２５ｍｍの蛍光灯１３ｉ、径１２５ｍｍのミニクリプトン１３ｊ、径１２５ｍｍ角の蛍光灯１３ｋ、径１２５ｍｍのウォールウォッシャー１３ｌが設けられている。これらによって、例えばダウンライトとダウンライトとの距離の差によるエッジの出方等の効果の相違、ダウンライトと壁との距離の差によるエッジの出方等の効果の相違、角形ダウンライト１３ｋの壁へのエッジの出方、ウォールウォッシャー１３ｌの壁への効果等を体感できるようになっている。
【００２８】
リビング１３の上部吹抜け部１９には、これの吹抜け下部に、アッパータイプブラケット１９ａ、下向きタイプブラケット１９ｂ、透過型ブラケット１９ｃ、不透過型ブラケット１９ｄが設けられている。これらによって、例えば素材、配光の異なる壁付け灯の明るさなどの効果の比較等を体感できるようになっている。
【００２９】
また、リビング１３の上部吹抜け部１９には、吹き抜けの照明として、透過型蛍光灯ブラケット１９ｅ、不透過型蛍光灯ブラケット１９ｆが設けられている。これらによって、例えば素材の相違による効果の差等を体感できるようになっている。さらに、上部吹抜け部１９には、透過型スポット１９ｇ、不透過型スポット１９ｈ、ペンダント１９ｉ、手摺上ＬＥＤダウンライト１９ｊが設けられている。これらによって、例えば素材の相違による効果の差、スポットライトの方向による効果の差、吹き抜けの照明技法の種類等を体感できるようになっている。
【００３０】
例えば階段１４には、高さの異なる位置に上下２段にブラケット１４ａが設けられており、これによって例えばランプの交換体験による適正な取付け位置を体感できるようになっている。また、足元灯１４ｂが設けられており、これによって例えば階段照明としての足元灯１４ｂの効果や、補助照明としての足元灯１４ｂの効果を体感できるようになっている。さらに、径１００ｍｍの蛍光灯ダウンライト１４ｃ、径１２５ｍｍのＬＥＤダウンライト１４ｄが設けられており、これらによって例えば階段手摺上のダウンライトの明るさ体験や、階段上ダウンライトのランプ交換の体験をすることができるようになっている。
【００３１】
例えば２階ホール２０には、径１２５ｍｍの蛍光灯ダウンライト２０ａが設けられており、これによって例えば階段１４のブラケット１４ａと２階ホール２０のダウンライト２０ａによる計画を体感できるようになっている。また、コープ照明として、天井とのクリアランスが１５０ｍｍのシームレスライン２０ｂ、天井とのクリアランスが２５０ｍｍのシームレスライン２０ｃ、天井とのクリアランスが１５０ｍｍのＬＥＤベースライト２０ｄが設けられている。これらによって、例えばコープ照明のクリアランスによる光の広がりの差や、シームレスライン２０ｂ，２０ｃとＬＥＤベースライト２０ｄの印象の違いを体感できるようになっている。さらに、コープ照明として、幕板の高さが有効ランプ高さとなっているシームレスライン２０ｅ、幕板の高さが１００ｍｍのシームレスライン２０ｆ、幕板の高さが２０ｍｍのシームレスライン２０ｇが設けられている。これらによって、例えばコープ照明の幕板の高さによる光の広がりの差を体感できるようになっている。さらにまた、２階ホール２０の中央部分の天井には、３灯のダウンライト２０ｈが設けられている。
【００３２】
そして、本実施形態では、床材仕様体感用設備１０は、図１に示すように、光環境体感用模擬住宅３０の２階部分に設けられており、２室の床材仕様体感室２２，２３と、これらの南側の壁面５４に沿って配置される２階廊下２１とによって構成される。
【００３３】
床材仕様体感室２２，２３は、図３にも拡大して示すように、各々、例えば４帖程度の広さの縦長矩形の平面形状を有する同じ大きさの個室であって、例えば２２５０ｍｍ程度の天井高さを有している。また、床材仕様体感室２２，２３は、仕切り壁５１を挟んで東西に隣接配置されていると共に、各々、４方を壁によって囲まれて、閉鎖されたプライベートな個室空間となっている。さらに、床材仕様体感室２２，２３は、２階廊下２１に面した壁面５４に設けられた出入り口５２，５３を介して、２階廊下２１から各々出入り可能となっている。
【００３４】
また、本実施形態では、床材仕様体感室２２，２３の床面を除く４方の側壁面や天井面には、同じか略同じ仕様の内装が各々施されており、床面には、異なる仕様の床材５５，５６が各々施されている。すなわち、本実施形態では、西側の一方の床材仕様体感室２２の床面には、好ましくは色調の異なる仕様の床材として、例えばライトブラウンの配色の床材５５が施されており、東側の他方の床材仕様体感室２３の床面には、好ましくは色調の異なる仕様の床材として、例えばダークブラウンの配色の床材５６が施されている。
【００３５】
これらによって、例えば床材仕様体感室２２，２３の各々の天井面に取り付けられた同じ種類の照明器具である蛍光灯シーリングや白熱灯シーリング２２ａ，２３ａを用いて室内を照明した際の、色調の異なる仕様の床材５５，５６による個室空間における印象の違いを、比較しながら体感させることができるようになっている。例えば、床面がダーク調の色調の場合、白熱灯色では、照度が十分でも暗く感じて、落ち着いた雰囲気の個室空間を体感することが可能になる。これらによって、床面の色調に合わせた適切な照明計画の提案を行うことが可能になる。
【００３６】
なお、本実施形態の床材仕様体感用設備１０により比較して体感すべき異なる仕様の床材は、色調の異なる仕様の床材５５，５６である必要は必ずしも無く、色感、素材感、光沢感等が相違する、その他の種々の仕様の床材を床材仕様体感室２２，２３の床面に施して、個室空間における印象の違いを比較しながら体感させることが可能である。
【００３７】
さらに、本実施形態では、一方の床材仕様体感室２２には、コープ照明として、シームレスライン２２ｂ、トラフ型蛍光灯２２ｃ、ミニキセノン２２ｄが設けられている。これらによって、個室空間における、例えば光源と器具の差による見え方の相違を体感できるようになっている。
【００３８】
さらにまた、本実施形態では、他方の床材仕様体感室２３には、コープ照明として、端までのシームレスライン２３ｂ、両端明けのシームレスライン２３ｃが設けられている。これらによって、個室空間における、例えば器具の設置方法による見え方の相違、カットオフライン、明るさの調整等を体感できるようになっている。
【００３９】
床材仕様体感室２２，２３と共に床材仕様体感用設備１０を構成する、当該床材仕様体感室２２，２３に面した部分の２階廊下２１は、床材仕様体感室２２，２３の南側の壁面５４に沿って、例えば９１０ｍｍ程度の通路幅で、且つ例えば２２５０ｍｍ程度の天井高さで設けられている。また、２階廊下２１は、その内装として、例えばライトでもダークでもない、床材仕様体感室２２，２３とは異なるこれらの中間のミディアムな色調の内装が施されており、これによって、例えば床材仕様体感室２２，２３と、照度差のある２階廊下２１との間で移動する際の、連続動線における印象の違いを、効果的に比較しながら体感させることができるようになっている。
【００４０】
さらに、本実施形態では、２階廊下２１の床材仕様体感室２２，２３に面した部分には、コーニス照明として、シームレスライン２１ａが設けられており、これによって動線による見えがかりの確認（コーニス照明の失敗例）を体感できるようになっている。また蛍光灯ダウンライト２１ｂが３灯、グレアレスダウンライト２１ｃが２灯設けられている。これらによって、例えば３灯と２灯と１灯による明るさの確認や、グレアレスダウンライト２１ｃによる配光の確認を体感できるようになっている。また２階廊下２１の壁面５４には、壁付け灯としてフットライト蛍光灯２１ｆが設けられている。
【００４１】
なお、本実施形態では、２階廊下２１のリビング１３の上部吹抜け部１９に面した部分には、図１に示すように、吹抜け部の灯りとして、ユニバーサルダウンライト２１ｄ、高効率タイプの手摺上ＬＥＤダウンライト２１ｅが設けられている。これらによって、例えばユニバーサル体験ができるようになっていると共に、上部吹抜け部１９に面した２階廊下２１のダウンライトによる効果を体感できるようになっている。
【００４２】
そして、本実施形態では、光環境体感用模擬住宅３０の各部屋や各部位に設けられた多数の照明器具は、例えば１階のリビング１３の南側の内壁面に取り付けた操作パネル１７と、例えば有線又は無線のネットワークを介して各々接続されており（図２参照）、操作パネル１７からの操作によって、各照明器具を照射させたり、その照度を調整したりすることができるようになっている。また操作パネル１７を、例えばコンピュータを用いた制御部等と接続しておき、所定のプログラムに従って、所定の順序で各照明器具を自動的に照射させたり、照度を自動的に調整させたりすることも可能である。
【００４３】
また、本実施形態では、床材仕様体感用設備１０の床材仕様体感室２２，２３や２階廊下２１を含む各部屋や各部位には、照度検出センサ１６が、例えば床部分に嵌め込まれるようにして設けられている。これらの照度検出センサ１６は、例えば操作パネル１７と併設して設けられた表示部１８（図２参照）と、例えば有線又は無線のネットワークを介して各々接続されており、照度検出センサ１６による照度の検出結果を、表示部１８に表示することができるようになっている。
【００４４】
さらに、本実施形態では、表示部１８は、例えば有線又は無線のネットワークを介して各照明器具に電力を供給する際の電力計と接続しており、これによって表示部１８に、表示された照度を得るための電力使用量を表示できるようになっている。すなわち、各部屋や各部位に設置された照明器具には、これらの照明器具への配線の途中に電力計が各々取り付けられており、照明器具に供給された電力を電力計からの出力信号として表示部１８に出力することで、所定の照度を得るための電力使用量を表示できるようになっている。
【００４５】
ここで、照度操作部１７や表示部１８は、携帯可能なポータブルタイプのリモコン装置に設けることもできる。照度操作部１７や表示部１８をポータブルタイプのリモコン装置に設けることによって、営業者や体感者が光環境体感用模擬住宅３０や床材仕様体感用設備１０の内部を移動しながら、手元の操作によってリアルタイムで任意の照明器具を照射させたり、リアルタイムで照明器具の照度を調整することが可能になり、利便性が向上すると共に、任煮の明るさに変化した各部屋や各部位の照度や電力使用量を手元で容易に確認することが可能になる。
【００４６】
そして、上述の構成を有する本実施形態の床材仕様体感用設備１０によれば、異なる仕様の床材５５，５６が施されたプライベートな個室空間における印象の違いを、略同時に比較しながら効果的に体感させることが可能になる。すなわち、本実施形態によれば、内装仕様が略同一となった２室の床材仕様体感室２２，２３を隣接配置すると共に、これらの床材仕様体感室２２，２３の壁面５４に沿って出入り可能な２階廊下２１を設けて構成されており、各床材仕様体感室２２，２３には、異なる仕様の床材５５，５６が床面に各々施されており、各床材仕様体感室２２，２３や２階廊下２１には、複数種類の照明器具がその照度を調整可能に設けられているので、プライベートな個室空間である床材仕様体感室２２，２３において、例えば色調の異なる仕様の床材５５，５６が施された際の各個室空間における、室内の照明と関係した色感、素材感、光沢感等の相違による印象の違いを、２階廊下２１を介してスムーズに移動しながら、略同時に比較しつつ体感を通して効果的に学習させることが可能になる。
【００４７】
また、本実施形態によれば、内装の色、照明の色や照度の組み合わせの相違による個室空間の印象の違いを体感できると共に、床材仕様体感室２２，２３と２階廊下２１との間の照度差のある連続動線における、空間の印象の違いを体感することが可能になる。さらに、体感した学習を通して、説得力のあるインテリア計画を行うことが可能になる。
【００４８】
なお、本発明は上記実施形態に限定されることなく種々の変更が可能である。例えば、異なる仕様の床材が床面に施された床材仕様体感室は、２室に限定されることなく、３室以上隣接配置して設けることもできる。また、床材仕様体感用設備は、光環境体感用模擬住宅の一部として設ける必要は必ずしもなく、モデルハウスやモデルルーム等の一部として設けたり、床材仕様体感用設備を単独で設けたりすることもできる。
【符号の説明】
【００４９】
１０  床材仕様体感用設備
１６  照度検出センサ
１７  操作パネル
１８  表示部
２１  ２階廊下（廊下部）
２１ａ，２１ｂ，２１ｃ  照明器具
２２，２３  床材仕様体感室
２２ａ，２２ｂ，２２ｃ，２２ｄ，２３ａ，２３ｂ，２３ｃ  照明器具
３０  光環境体感用模擬住宅
５１  仕切り壁
５２，５３  出入り口
５４  出入り口が設けられた壁面
５５，５６  異なる仕様の床材
【図１】
2011085706.tif 000003
【図２】
2011085706.tif 000004
【図３】
2011085706.tif 000005